(57)【要約】【課題】車両用灯具のパーセルボードへのワンタッチ作業で固定作業と同時に電気的接続関係を確保することが容易にできる車両用灯具の取付構造を提供する。【解決手段】パーセルボード７０に上方に向かう膨出部７１を設け、膨出部７１に後方に向かう開口７２を設け、開口７２にレンズ面を臨ませ、且つ膨出部７１内の位置決め手段７３にて位置決めされるよう車両用灯具１０を下方から差し込み、コネクタ５０を下方から上方へ押し込むことによってコネクタ側端子４５と雌型端子６６とを接続させ、パーセルボード７０に発条固定ランス６７，６８で係合させて車両用灯具１０を押し付け固定させる。【選択図】      図２
2004241337.tif 000002
【特許請求の範囲】
【請求項１】
表面に複数個のＬＥＤが配設され、裏面に前記ＬＥＤに接続する電極が露出する基板と、該基板を覆うように組み付けられ、前記ＬＥＤに対向してフレネルレンズが形成されたレンズケースと、該レンズケースに対して前記基板を間に挟んで覆い被さるように係合手段で一体に組み付けられ、前記電極に接触導通する基板側端子及び突出するコネクタ側端子を備えた導電性取付プレートとを有することを特徴とする車両用灯具。
【請求項２】
請求項１において、前記係合手段は、前記レンズケースの対向壁外側に設けられた取付プレート固定ランスと、該取付プレート固定ランスに係合する指片とからなることを特徴とする車両用灯具。
【請求項３】
請求項１又は２において、前記係合手段は前記電極又は前記基板側端子の近傍に設けられていることを特徴とする車両用灯具。
【請求項４】
請求項１〜３のいずれか１項記載の車両用灯具をパーセルボードに組み込み、後方より視認できるようにした車両用灯具の取付構造において、
前記パーセルボードに上方に向かう膨出部を設け、該膨出部に後方に向かう開口を設け、該開口に前記レンズ面を臨ませ、且つ前記膨出部内の位置決め手段にて位置決めされるよう前記車両用灯具を下方から差し込み、コネクタを下方から上方へ押し込むことによって前記コネクタ側端子と雌型端子とを接続させ、前記パーセルボードに発条固定ランスで係合させて前記車両用灯具を押し付け固定させることを特徴とする車両用灯具の取付構造。
【請求項５】
請求項４において、前記パーセルボードに前記コネクタを案内し前記発条固定ランスの発入を受ける係合穴を備えた垂下壁を設けて固定したことを特徴とする車両用灯具の取付構造。
【発明の詳細な説明】
【０００１】
【発明の属する技術分野】
本発明は、車両用灯具及びその取付構造に関するものである。
【０００２】
【従来の技術】
図９は、従来の車両用灯具及びその取付構造を示している。図示しない車両後方のパーセルボード１に、そこに形成された穴２に後方に向かう開口４を有したランプカバー３が上方から差し込まれて固定され、ここに車両用灯具５が穴２の下方から差し込まれて図示省略の手段で固定されていた。車両用灯具５は、バルブ６を保持したランプハウジング７と、ランプハウジング７の前面を閉成するレンズ８とを有している。ランプハウジング７には下方に向かう係合条片７ａが設けられ、バルブ６の後端から下方に端子６ａが係合条片７ａと平行に垂下するように設けられている。そして、電源バッテリー（図示せず）と電気的に接続されたハーネス９の一端に固定されたコネクタ１０を端子６ａに差し込むとともに係合爪１０ａを係合条片７ａに係合させ装着させることでバルブ６への電源供給が可能となっている（同種の技術が開示された特許文献１参照）。
【０００３】
【特許文献１】
実開平１−１５５６０３号公報
【０００４】
【発明が解決しようとする課題】
ところで、上記の如く構成された車両用灯具５にあっては、ランプハウジング７とレンズ８とを何らかの手段で接合するとともに、バルブ６を組み付けねばならないため組み付け工数が掛かっていた。また、長い端子６ａと長い係合条片７ａにコネクタ１０を差し込み接続することが難しいため作業性に問題があった。
【０００５】
そこで、この発明は、上記問題を解決するため、組み付け簡単な車両用灯具とこの車両用灯具をパーセルボードへの固定作業をすると同時に電気的接続が同時にワンタッチ作業で容易にできる車両用灯具取付構造を提供することを目的としている。
【０００６】
【課題を解決するための手段】
この目的を達成するため、請求項１の発明は、表面に複数個のＬＥＤが配設され、裏面に前記ＬＥＤに接続する電極が露出する基板と、該基板を覆うように組み付けられ、前記ＬＥＤに対向してフレネルレンズが形成されたレンズケースと、該レンズケースに対して前記基板を間に挟んで覆い被さるように係合手段で一体に組み付けられ、前記電極に接触導通する基板側端子及び突出するコネクタ側端子を備えた導電性取付プレートとを有した車両用灯具としており、組み付け簡単容易な車両用灯具を提供することができる。
【０００７】
また、請求項２の発明は、請求項１において、前記係合手段を、前記レンズケースの対向壁外側に設けられた取付プレート固定ランスと、該取付プレート固定ランスに係合する指片とからなるようにした車両用灯具としている。
【０００８】
また、請求項３の発明は、請求項１又は２において、前記係合手段を前記電極又は前記基板側端子の近傍に設けるようにした車両用灯具としており、電気的接続を確実にすることができる。
【０００９】
また、請求項４の発明は、請求項１〜３のいずれか１項記載の車両用灯具をパーセルボードに組み込み、後方より視認できるようにした車両用灯具の取付構造において、前記パーセルボードに上方に向かう膨出部を設け、該膨出部に後方に向かう開口を設け、該開口に前記レンズ面を臨ませ、且つ前記膨出部内の位置決め手段にて位置決めされるよう前記車両用灯具を下方から差し込み、コネクタを下方から上方へ押し込むことによって前記コネクタ側端子と雌型端子とを接続させ、前記パーセルボードに発条固定ランスで係合させて前記車両用灯具を押し付け固定させるようにした車両用灯具の取付構造としており、パーセルボードへの固定作業を容易とすることができる。
【００１０】
さらに、請求項５の発明は、請求項４において、前記パーセルボードに前記コネクタを案内し前記発条固定ランスの発入を受ける係合穴を備えた垂下壁を設けて固定した車両用灯具の取付構造としており、ワンタッチ組付けを可能にしている。
【００１１】
【発明の実施の形態】
次に、この発明の車両用灯具及びその取付構造の実施の形態を示す図面に基づいてこの発明を説明する。
【００１２】
図１及び図２には、車両用灯具１０及びそれを取り付けた図示省略の車両後方近傍のパーセルボード７０が示されている。パーセルボード７０は、例えば図示しないリヤウィンドウに位置し、小荷物を載せることができる棚であり、上部は客室内、下部は荷物室に面している。
【００１３】
車両用灯具１０は、図２〜４，図６〜８に示されており、横方向に長い基板２０，基板２０の長さに対応した面が開放された直方体状のレンズケース３０及びこの両者を合体させる取付プレート４０とから構成されている。
【００１４】
基板２０には、電気配線がなされ、表面に複数個のＬＥＤ２１が所定間隔で配設され、裏面にＬＥＤ２１に接続する電極２２がここでは４個所露出して設けられている。レンズケース３０は、アクリルやＡＢＳなどの透明な合成樹脂で造られ、横一列に多数配設されたＬＥＤ２１に対向してフレネルレンズ３１が形成され、対向壁３２の外側には、それぞれ取付プレート固定ランス３３が設けられ、基板２０を覆うように組み付けられる。
【００１５】
取付プレート４０は、例えば金属板などを打ち抜き折り曲げ等の加工がされ、ここでは２分割されて造られ、矩形状の平板部４１とその上下で一対となり、取付プレート固定ランス３３に係合する穴４３を有する指片４２がこの例では４個所８個が設けられ、上下の指片４２を結ぶ位置の平板４１には打ち抜き形成された基板側端子４４が電極２２に対応して４個所設けられ、さらにそれぞれの平板４１の近接する側には細く突出して平行に延在するコネクタ側端子４５が形成されている。この取付プレート４０は、金属板のような導電性のもので造られても良いが、合成樹脂で造られ、必要な部分を導電性の処理を行っても良い。
【００１６】
電極２２，取付プレート固定ランス３３，指片４２及び基板側端子４４がほぼ同一面内に設けられ、電極２２に基板側端子４４が十分に接触導通して電気的接続を良好にしている。レンズケース３０に対して基板２０を間に挟んで覆い被さるように合体させる係合手段５０は、取付プレート固定ランス３３と指片４２とで構成されており、このことにより組み付け簡単容易な車両用灯具を提供することができる。すなわち、係合手段５０を電極２２又は基板側端子４４の近傍に設けるようにして電気的接続を確実にすることができる。
【００１７】
また、このような車両用灯具１０をパーセルボード７０に組み込み、後方より視認できるようにした車両用灯具の取付構造は、図１，２及び図６〜８において示されている。パーセルボード７０は、ここでは例えば合成樹脂製で、その上方に向かいかつ車幅方向に延びる膨出部７１が設けられ、この膨出部７１には、後方に向かう開口７２と車両用灯具１０を所定の位置に安定して納める位置決め手段であるリブ７３が設けられている。リブ７３は、車幅方向に所定間隔で複数個設けられている。
【００１８】
さらに、パーセルボード７０には、図５に示すほぼ立方体を呈したコネクタ６０を案内する位置決め手段である垂下壁７４，７５が設けられている。この垂下壁７４，７５は、図２に示すように、それぞれ断面コ字状を呈しており、そこに係合穴７６，７７が設けられている。コネクタ６０は、上面から見てＨ状を呈し、対向壁部６１，６２上面に図７で示すように使われる位置決めリブ６３が、下面側に重量軽減の凹所６４が設けられ、連結壁部６５の上面に開口する雌型端子６６が埋設され、これら壁部６３〜６５で囲まれた空間に設けられた発条固定ランス６７，６８が設けられ、下面から雌型端子６６に連結されているコード（接続端子であっても良い）６９が垂れ下がっている。
【００１９】
パーセルボード７０の膨出部７１の下側から車両用灯具１０を開口７２にレンズケース３０のレンズ面を臨ませ、且つ膨出部７１内の位置決め手段であるリブ７３にて位置決めされるよう差し込み、さらにコネクタ６０を下方から上方へパーセルボード７０の垂下壁７４，７５に案内させて押し込むことによってコネクタ側端子４５と雌型端子６６とを接続させ、かつ発条固定ランス６７，６８で係合穴７６，７７に発入させて係合させ、車両用灯具１０を押し付け固定させるようにしている。このような車両用灯具の取付構造としており、コネクタ６０を押し込むワンタッチ作業でパーセルボード７０への車両用灯具１０の固定作業を容易確実にしている。
【００２０】
【発明の効果】
以上説明したように、この発明の車両用灯具にあっては、組み付け簡単な車両用灯具とこの車両用灯具をパーセルボードへのワンタッチ作業で固定作業と同時に電気的接続を確保することが容易にできる車両用灯具取付構造を提供することができる。
【図面の簡単な説明】
【図１】この発明の実施の形態に係る車両用灯具の取付構造を示す全体斜視図である。
【図２】図１の車両用灯具の取付構造の下方から見た全体斜視図である。
【図３】この発明の実施の形態に係る車両用灯具の背面から見た全体斜視図である。
【図４】図３の車両用灯具分解して示す全体分解斜視図である。
【図５】この発明の実施の形態に係る車両用灯具の取付構造に用いられるコネクタの上方から見た全体斜視図である。
【図６】図２のＶＩ−ＶＩ断面端面図である。
【図７】図２のＶＩＩ−ＶＩＩ断面端面図である。
【図８】図２のＶＩＩＩ−ＶＩＩＩ断面端面図である。
【図９】従来の車両用灯具の取付構造を示す全体斜視図である。
【符号の説明】
１０  車両用灯具
２０  基板
２１  ＬＥＤ
２２  電極
３０  レンズケース
３３  取付プレート固定ランス
４０  取付プレート
４２  指片
４３  穴
４４  基板側端子
４５  コネクタ側端子
５０  係合手段
６０  コネクタ
６３  位置決めリブ
６６  雌型端子
６７，６８  発条ランス
７０  パーセルボード
７１  膨出部
７２  開口
７３  リブ（位置決め手段）
７４，７５  垂下壁
７６，７７  係合穴
【図１】
2004241337.tif 000003
【図２】
2004241337.tif 000004
【図３】
2004241337.tif 000005
【図４】
2004241337.tif 000006
【図５】
2004241337.tif 000007
【図６】
2004241337.tif 000008
【図７】
2004241337.tif 000009
【図８】
2004241337.tif 000010
【図９】
2004241337.tif 000011